(57)【特許請求の範囲】
【請求項１】
表示出力手段における視野角を設定する視野角制御手段と、
アプリケーションを実行するプログラム実行手段と、
前記視野角制御手段による視野角の設定に基づいて、前記プログラム実行手段におけるアプリケーションの起動、終了、データの参照、認証処理のうち少なくとも１つを制御するセキュリティ管理手段とを備え、
前記セキュリティ管理手段は、前記視野角制御手段による視野角の設定が広視野角の場合、前記プログラム実行手段におけるセキュリティデータを扱うアプリケーションの起動、セキュリティデータの参照のうち少なくとも１つを禁止するプライベートモードに設定することを特徴とする制御装置。
【請求項２】
請求項１に記載の制御装置と、
前記制御装置への操作入力を行う入力手段と、
前記視野角制御手段からの制御信号および前記プログラム実行手段からの映像信号に基づいて画面を表示出力する表示出力手段とを含む携帯端末。
【請求項３】
表示出力手段における視野角を設定するステップと、
アプリケーションを実行するステップと、
前記視野角の設定に基づいて、前記アプリケーションの起動、終了、データの参照、認証処理のうち少なくとも１つを制御するステップとを含み、
前記アプリケーションの起動、終了、データの参照、認証処理のうち少なくとも１つを制御するステップにおいて、前記表示出力手段における視野角を設定するステップにおける視野角の設定が広視野角の場合、前記アプリケーションを実行するステップにおけるセキュリティデータを扱うアプリケーションの起動、セキュリティデータの参照のうち少なくとも１つを禁止するプライベートモードに設定することを特徴とする制御方法。
【請求項４】
請求項１に記載の制御装置を動作させるためのプログラムであって、コンピュータを上記の各手段として機能させるための制御プログラム。
【請求項５】
請求項４に記載の制御プログラムが記録されたコンピュータ読み取り可能な記録媒体。
【発明の詳細な説明】
【技術分野】
【０００１】
本発明は携帯端末装置及び視野角可変表示装置に関し、例えば携帯電話機に適用して好適なものである。
【背景技術】
【０００２】
近年、携帯電話機においては多機能化が進んでおり、音声通話のみならず、電子メールの送受信、ＷＷＷ（World Wide Web）上のホームページや写真の閲覧等の各種情報通信を行い得るようになされている。
【０００３】
ここで、電車やバスの車内等における混雑状況下において携帯電話機を使用した場合、当該携帯電話機の表示部に表示した表示内容を周囲の他人に覗き見される可能性があるという問題がある。
【０００４】
かかる問題に対する解決方法として、２枚のガラス基板と、その間に封入された液晶と、上記２枚のガラス基板それぞれの外面にそれぞれ配置された２枚の偏光板と、上記２枚のガラス基板それぞれの内面全面に配置された２枚の電極とを有する液晶板でなる情報表示装置にて、上記２枚の電極間に電圧を印加して上記液晶の配向を変更することにより視野角を制御することで狭角度化を行い、覗き見を防止する装置が特許文献１にて開示されている。
【特許文献１】特開２００４−６２０９４号公報（２００４年２月２６日公開）
【特許文献２】特開２００５−１２２９７号公報（２００５年１月１３日公開）
【発明の開示】
【発明が解決しようとする課題】
【０００５】
しかしながら、上記従来の構成では、視野角の制御によりセキュリティが確保されているものの、プライベートな情報にアクセスするために認証処理などの煩雑な処理が必要であるという問題を生じる。
【０００６】
また、暗証番号入力時の入力文字を＊で置き換える処理のような、セキュリティを保護して他人に見られることを防止する対策についても動作が行われているため、処理動作に負荷がかかり処理が遅くなるといった問題を生じる。
【０００７】
本発明は、上記の問題点に鑑みてなされたものであり、その目的は視野角の設定に基づいて適切なセキュリティを確保し、かつ、操作の利便性を向上した制御装置、携帯端末、制御方法、制御プログラム、および記録媒体を実現することにある。
【課題を解決するための手段】
【０００８】
上記の問題を解決するために、本発明の制御装置では、表示出力手段における視野角を設定する視野角制御手段と、アプリケーションを実行するプログラム実行手段と、前記視野角制御手段による視野角の設定に基づいて、前記視野角制御手段による視野角の設定に基づいて、前記プログラム実行手段におけるアプリケーションの起動、終了、データの参照、認証処理のうち少なくとも１つを制御するセキュリティ管理手段とを備えることを特徴としている。
【０００９】
上記の構成によれば、視野角の設定に基づいてアプリケーションの起動、終了、データの参照、認証処理のうち少なくとも１つを制御するので、視野角の設定によりある程度のセキュリティを確保しつつ、煩雑な操作をなくしたアプリケーションの制御を行うことができるという効果を奏する。
【００１０】
上記の制御装置では、前記セキュリティ管理手段は、前記視野角制御手段による視野角の設定が広視野角の場合、前記プログラム実行手段におけるセキュリティデータを扱うアプリケーションの起動、セキュリティデータの参照のうち少なくとも１つを禁止するプライベートモードに設定することを特徴としている。
【００１１】
上記の構成によれば、広視野角状態では、アプリケーションの動作設定でセキュリティを確保するので、周囲の人から除き見される可能性がある広視野角状態であっても、アプリケーションの制御によってセキュリティを確保することができるという効果を奏する。
【００１２】
なお、ここでいうセキュリティデータとは、具体例をあげると、例えば、メール、アドレス帳、ユーザ情報、留守番電話メッセージ、発着信履歴、通話料金、画像データ、ウェブサイトの閲覧履歴、シークレットデータ、および、その他の個人情報を指す。また、これらのセキュリティデータには、それぞれセキュリティレベルを独自に設定し、例えば、一部のデータをシークレットデータとしてセキュリティを高く設定し、パスワード入力によって認証を行わなければ参照することができないようにしても良い。
【００１３】
上記の制御装置では、前記セキュリティ管理手段は、前記視野角制御手段による視野角の設定が広視野角の場合、前記プログラム実行手段において実行しているアプリケーションがセキュリティデータを参照する際にユーザの認証を行うことを特徴としている。
【００１４】
上記の構成によれば、広視野角状態では、セキュリティデータへのアクセスに、例えば、パスワード入力、指紋・静脈画像・顔画像・音声などによるユーザの認証を求めるので、広視野角の設定の場合に覗き見されることによるセキュリティデータの漏出を防ぐことができるという効果を奏する。
【００１５】
上記の制御装置では、前記セキュリティ管理手段は、前記視野角制御手段による視野角の設定が広視野角の場合、前記プログラム実行手段におけるセキュリティデータを参照するためのユーザによる認証処理を禁止することを特徴としている。
【００１６】
上記の構成によれば、広視野角の場合、セキュリティデータにアクセスするための認証処理を行えないようにするので、広視野角の設定の場合に不用意にセキュリティデータを表示することで、覗き見されることによるセキュリティデータの漏出を防ぐことができるという効果を奏する。
【００１７】
上記の制御装置では、前記セキュリティ管理手段は、前記視野角制御手段による視野角の設定が狭視野角の場合、前記プログラム実行手段におけるアプリケーションの動作をユーザによる認証処理を簡略化したパブリックモードに設定することを特徴としている。
【００１８】
上記の構成によれば、狭視野角状態ではセキュリティを緩和することで、ユーザによる認証処理などの余分な動作を簡略化し、視野角の制御でセキュリティを確保しつつ、操作自由度を向上することができるという効果を奏する。
【００１９】
上記の制御装置では、前記セキュリティ管理手段は、前記視野角制御手段による視野角の設定が狭視野角から広視野角に変更された場合、前記プログラム実行手段において実行しているセキュリティデータを扱うアプリケーションを終了させることを特徴としている。
【００２０】
上記の構成によれば、広視野角状態では、セキュリティデータを扱うアプリケーションを終了させるので、プライバシー情報を見せないように自動的に制御することができる。
【００２１】
上記の制御装置では、前記セキュリティ管理手段は、前記視野角制御手段による視野角の設定が狭視野角から広視野角に変更された場合、前記プログラム実行手段において実行しているアプリケーションがセキュリティデータを参照する際にユーザによる認証処理を行うことように設定することを特徴としている。
【００２２】
上記の構成によれば、広視野角状態になった場合には、セキュリティデータへのアクセス認証処理を行うに設定するので、広視野角に変更された際に覗き見などによるプライバシー情報の漏出について注意を喚起し、セキュリティを高めることができる。
【００２３】
本発明の制御装置では、上記の問題を解決するために、表示出力部における視野角を設定する視野角制御手段と、アプリケーションを実行するプログラム実行手段と、前記プログラム実行手段におけるアプリケーションの起動、終了、データの参照、認証処理の動作のうち少なくとも１つに基づいて、前記視野角制御手段における視野角の設定を制御するセキュリティ管理手段とを備えることを特徴としている。
【００２４】
上記の構成によれば、アプリケーションの起動、終了、データの参照、認証処理の動作のうち少なくとも１つに基づいて、表示出力部における視野角を設定するので、アプリケーションのセキュリティレベルに応じて視野角を設定することができるという効果を奏する。
【００２５】
上記の制御装置と、前記制御装置への操作入力を行う入力手段と、前記視野角制御手段からの制御信号および前記プログラム実行手段からの映像信号に基づいて画面を表示出力する表示出力手段とを備えることによって、携帯端末を構成することができる。
【００２６】
上記の構成によれば、上述と同様の効果を奏する携帯端末を実現できる。
【００２７】
上記の問題を解決するために、本発明の制御方法では、表示出力手段における視野角を設定するステップと、アプリケーションを実行するステップと、前記視野角の設定に基づいて、前記アプリケーションの起動、終了、データの参照、認証処理のうち少なくとも１つを制御するステップとを備えることを特徴としている。
【００２８】
上記の構成によれば、視野角の設定に基づいてアプリケーションの起動、終了、データの参照、認証処理のうち少なくとも１つを制御するので、視野角の設定によりある程度のセキュリティを確保しつつ、煩雑な操作をなくしたアプリケーションの制御を行うことができる制御方法を提供することができる。
【００２９】
なお、上記制御方法を、コンピュータの制御によりコンピュータ上で実行させることができる。さらに、上記判別プログラムをコンピュータ読み取り可能な記録媒体に記憶させることにより、任意のコンピュータ上で実行させることができる。
【発明の効果】
【００３０】
以上のように、本発明に係る制御装置は、視野角の設定に基づいてアプリケーションの起動、終了、データの参照、認証処理のうち少なくとも１つを制御するので、視野角の設定によりある程度のセキュリティを確保しつつ、煩雑な操作をなくしたアプリケーションの制御を行うことができるという効果を奏する。
【発明を実施するための最良の形態】
【００３１】
本発明の一実施形態について、図１から図５に基づいて説明すると以下の通りである。以下では、端末として好適な携帯電話機に本発明を適用した場合について説明するが、本発明はそれに留まるものではなく、表示装置の視野角を制御する機構を有するものであれば、任意の端末に適用することができる。また、従来使用されている外部機器に、以下で説明する各部の機能を備えた制御装置を装着することで各端末として機能させてもよい。
【００３２】
なお、上記の外部機器には、具体例をあげると、例えば、ＰＤＡ（personal digital assistant）、携帯ゲーム機、およびノートＰＣ（Personal Computer）といった携帯端末などがあげられる。制御装置の形態としては、具体例をあげると、ＰＣカード、ＵＳＢ（Universal Serial Bus）機器、メモリカード、ＲＯＭ（Read Only Memory）カートリッジ、無線通信ユニット、およびその他のオプションユニットなどがあげられる。
【００３３】
図１は、本実施形態の携帯端末１０の概略構成を示す機能ブロック図である。以下、携帯端末１０が備える各部が持つ機能について、順に説明する。
【００３４】
本実施形態の携帯端末１０は、入力部２０、記憶部３０、処理部４０、出力制御部５０、および、表示部６０を備えている。入力部２０から入力された操作入力は、処理部４０で処理され、セキュリティレベルを判断し、アプリケーションの動作を決定する。処理部４０での判断および決定に基づいて、出力制御部５０は、表示部６０の表示制御を行い、表示視野角を制御する。以下、各部の詳細を説明する。
【００３５】
入力部２０は、ユーザからの入力操作を受け付け、処理部４０に入力操作を伝達する。具体的には、入力部２０の各部は、例えば、スイッチ、キーボード、タッチパネル、ダイアル、ボリューム、カメラ、スキャナなどの入力デバイスまたは入力インターフェースと、入力操作を信号に変換する電子素子との組み合わせによって構成される。本実施形態では、入力部２０は、認証入力部２２、操作部２４、視野角切換部２６、および、開閉検知部２８を備えている。
【００３６】
認証入力部２２は、ユーザによる認証データの入力に用いる入力デバイスである。具体的には、例えば、ＩＤカードの認証を行うためのカードリーダ、指紋・網膜・静脈などの身体上表認証を行うためのバイオメトリクスセンサ、音声認証を行うためのマイク、顔特徴認証を行うためのカメラ、および、その他の認証データの入力に用いる為の入力デバイスである。認証入力部２２は、携帯端末１０が従来備えるものを用いても良いし、認証用に専用のデバイスを備えていても良い。本実施形態では、マイクを用いて音声認証を行うものとする。
【００３７】
操作部２４は、携帯端末１０の各種操作入力を受け付けるための入力デバイスである。具体的には、例えば、電話発信用の０〜９、＃、＊の数字・記号キー、発信・切断キー、カメラ・メール等のアプリケーション起動キー、上・下・左・右の方向キー、決定・取り消しキー、および、その他の操作行うための入力デバイスである。これらの各種キーで構成される操作部２４は、従来の構成であるので、各機能について説明は省略する。
【００３８】
視野角切換部２６は、表示部６０の表示視野角を変更するための入力デバイスである。具体的には、携帯端末１０の側面部などに配置したスイッチまたはボタンなどで実現される入力デバイスである。表示部６０は、視野角切換部２６の操作によって、正面方向のみから参照され、左右からは視認が困難であるような狭視野角モードと、上下左右の周囲の人からも参照され、周りの人にも視認が容易であるような広視野角モードとの、少なくとも２つのモードに切り替えられる。視野角のモードは２つに限らず、いくつかの段階で変更しても良い。
【００３９】
開閉検知部２８は、携帯端末１０が使用可能なスタンバイ状態であるか、使用せずに携帯することが目的であるクローズ状態であるかを検出するためのセンサである。具体的には、例えば、上側筐体および下側筐体がヒンジ部で連結され、二つ折にすることによってクローズ状態とするクラムシェル型の携帯端末１０の場合、筐体の片側に突起部を形成し、反対側に突起部によって押下されるスイッチ部を配置しても良い。本実施形態では、携帯端末１０はクラムシェル型のものを例にあげ、前述の突起部およびスイッチ部の組み合わせによって開閉検知部２８を構成するものとする。
【００４０】
記憶部３０は、携帯端末１０上で動作する様々なアプリケーションおよびデータを保存するためのメモリである。具体的には、不揮発メモリまたは書き換え可能なメモリによって構成される。なお、記憶部３０は、交換可能な外部記憶メディアであっても良いし、磁気または光学記録媒体であっても良い。以下に示す必要なアプリケーションおよびデータを保存できれば、どのような記録装置であっても良い。
【００４１】
次に、処理部４０について説明する。処理部４０は、セキュリティ管理部４２、および、プログラム実行部４４を備えている。
【００４２】
セキュリティ管理部４２は、携帯端末１０の表示部６０に表示されているデータのセキュリティを判断し、アプリケーションの動作および表示視野角の制御の管理を行うための処理装置である。具体的には、セキュリティ管理部４２は、記憶部３０のセキュリティ情報を参照し、現在の操作入力に基づいて、プログラム実行部４４、表示制御部５２へ指示を出してアプリケーションおよび表示視野角を管理する。
【００４３】
プログラム実行部４４は、携帯端末１０上で実行する様々なアプリケーションを実行するための処理装置である。具体的には、プログラム実行部４４は、操作部２４からの操作入力、セキュリティ管理部４２からのセキュリティ制御、および視野角制御部５４からの現在の視野角情報に基づいて各アプリケーションの動作を決定する。アプリケーションの実行結果は、表示部６０、および、図示しない音声出力部から出力される。
【００４４】
次に、出力制御部５０について説明する。出力制御部５０は、表示部６０の表示に関わる様々な制御を行う制御部である。出力制御部５０は、表示制御部５２および視野角制御部５４を備えている。
【００４５】
表示制御部５２は、セキュリティ管理部４２およびプログラム実行部４４からの出力に基づいて、表示部６０に画面を表示させるための制御部である。表示制御部５２は、視野角制御部５４に指示を出して、表示部６０の表示視野角を制御する。
【００４６】
視野角制御部５４は、表示部６０の視野角変更用液晶板やバックライトなどを制御することで、表示部６０の視野角を変更するための制御部である。また、視野角制御部５４は、プログラム実行部４４に現在の視野角の情報や携帯端末１０の開閉状態について伝達する。
【００４７】
表示部６０は、処理部４０で処理された様々な情報を画像として出力するための表示パネルである。具体的には、ＬＣＤ（Liquid Crystal Display：液晶ディスプレイ）や有機ＥＬＤ（Electro Luminescence Display）などを用いた表示装置である。さらに、表示部６０は、視野角を変更するための視野角変更液晶板を供えている。表示部６０について、詳細な構成は後述するものとする。
【００４８】
次に、図２を参照して、本実施形態で用いる携帯端末１０の外部形状について説明する。図２は、携帯端末１０の各部の構造を示した正面図である。携帯端末１０は、上側筐体３１および下側筐体３３が、ヒンジ部３２を用いて連結されている。また、携帯端末１０は、上側筐体３１と下側筐体３３とに分けられており、ヒンジ部３２を介して折り畳み可能に形成されている。
【００４９】
上側筐体３１は、アンテナ３４、スピーカ３５、突起部３７、および表示部６０を備えている。下側筐体３３は、操作部２４、視野角切換部２６、開閉検知部２８、および、マイク３６を備えている。上側筐体３１および下側筐体３３は、ヒンジ部３２によって回転可能に連結されており、ヒンジ部３２を中心に折りたたむことによって上側筐体３１および下側筐体３３は、表示部６０および操作部２４を内側にクローズ状態に閉じることができる。
【００５０】
このように携帯端末１０は、上側筐体３１と下側筐体３３とが開閉自在に連結されていることから、そのクローズ状態において携帯端末１０の表側面に設けられた表示部６０や操作部２４を携帯端末１０の裏側面で被覆して保護するとともに、携帯端末１０の寸法を小型化するように構成されている。なお、下側筐体３３には、背面側に図示しないバッテリパックが装着されており、操作部２４の操作により電源が投入されると、バッテリパックから内部の回路ブロックに対して電力を供給し、携帯端末１０を起動して動作可能な状態とする。
【００５１】
アンテナ３４は、基地局との間の通信に用いる電波の捕捉を補助する為のもので、引き出しおよび収納が可能な状態で上側筐体３１内に取り付けられている。なお、ここでは、アンテナ３４を上側筐体３１から引き出して伸ばすタイプのアンテナを例に示したが、筐体内に完全に格納されるタイプや、スロットに通信ユニットを格納するタイプや、外部のアンテナに接続するための接続端子が搭載されたタイプなどであっても良い。
【００５２】
スピーカ３５は、通話内容またはアプリケーションの実行結果の出力に用いる為の音声出力装置である。スピーカ３５は、受信した通信先ユーザの音声や着信通知音を再生する。マイク３６は、通話内容またはアプリケーションへの入力に用いる為の音声入力装置である。マイク３６は、通話時のユーザの音声を集音する。スピーカ３５およびマイク３６は、イヤホンまたはヘッドセット等の外部の音声入出力デバイスであっても良い。突起部３７は、開閉検知部２８のスイッチを押すことで、携帯端末１０の開閉状態を処理部４０へ通知するための突起形状である。
【００５３】
操作部２４は、携帯端末１０の各種操作入力を受け付けるための入力デバイスで、本実施形態では、電話発信用の０〜９、＃、＊の数字・記号キー、発信キー、切断・電源キー、リダイアルキー、カメラ・メール等のアプリケーション起動キー、上・下・左・右の方向キー、決定キー、クリアキーを備えている。これらのキーの構成は従来通りのものであるので、説明は省略する。
【００５４】
視野角切換部２６は、表示部６０の視野角の切換操作を視野角制御部５４に入力するための入力デバイスである。具体的には、携帯端末１０の側面部などに配置されたスイッチであり、図２に示す実施形態では、視野角切換部２６のスイッチを押す毎に表示部６０の視野角が、広視野角または狭視野角へと変更されるものとする。
【００５５】
開閉検知部２８は、上側筐体３１の正面におけるヒンジ部３２近傍に配置された円柱状の突起部３７に対応する位置の下側筐体３３上に設けられており、筐体を閉じた状態で突起部３７が開閉検知部２８を押圧することにより、携帯端末１０の開閉状態を検出する。
【００５６】
表示部６０は、本実施形態ではＬＣＤで構成され、携帯端末１０の各種機能に対応したメニュー、電波の受信状態、電池残量、発信履歴、着信履歴、電子メール文、電話帳、スケジュール、および、画像等のあらゆる情報を表示する。表示部６０には、さらに、後述する視野角変更液晶板が密着して設けられており、携帯端末１０を開いた状態において、視野角切換部２６の押下に応じて視野角制御液晶板をオン、または、オフにすることによって表示部６０の視野角が変更される。
【００５７】
次に、図３を参照して携帯端末１０の回路構成を説明する。図３は、携帯端末１０の主要な回路の構成を示すブロック図である。携帯端末１０においては、当該携帯端末１０の各種機能を統括的に制御するＣＰＵ（Central Processing Unit）で構成された処理部４０に対して、処理部４０が実行する表示制御プログラム等の各種プログラムや電話帳や携帯電話機の設定等の各種データなどを記憶しておくための記憶部３０、開閉を検出する開閉検知部２８、表示を制御する出力制御部５０を介して接続される表示部６０、通信部９０、タイマー部８０、操作部２４と視野角切換部２６と開閉検知部２８とを含む入力部２０が接続されている。
【００５８】
処理部４０は、入力部２０を介して入力された各種処理命令に応じて通信部９０を制御することにより、発呼処理や終話処理等の各種通信処理を実行する。また、携帯端末１０の処理部４０は、入力部２０を介して入力された各種処理命令に応じ、出力制御部５０を制御することにより、各種処理命令に応じた情報を表示部６０に表示する。
【００５９】
次に、図４を用いて表示部６０の視野角制御を行う構成の詳細について説明する。図４は、表示部６０の詳細な構成について示す概略図である。図４に示すように、視野角可変表示装置としての表示部６０においては、ＴＦＴ（Thin Film Transistor）型ＬＣＤによって構成された表示用ＬＣＤ６３の裏面側にバックライト６４が密着して設けられており、バックライト６４によって表示用ＬＣＤ６３の透過照明を行う。
【００６０】
また、表示部６０には、視野角変更手段としての視野角変更液晶板６２が、情報表示手段としての表示用ＬＣＤ６３の表面側に設けられており、更に当該視野角変更液晶板６２の表面側に表示部６０全体を保護するためのアクリルパネル６１が設けられている。
【００６１】
次に、上述した表示部６０の視野角変更を制御する表示制御処理手順について、図５を参照して説明する。図５は、視野角の設定に基づいてアプリケーションの動作を制御する処理の流れを示したフロー図である。
【００６２】
まず、全体の処理のおおまかな流れについて説明する。最初に、視野角切換部２６が押下されると、処理部４０は、表示部６０の表示状態が広視野角状態であるか否かを判断し、広視野角状態である場合、視野角変更液晶板６２を制御して表示部６０の表示状態を広視野角状態から狭視野角状態に変更する。これに対して、表示部６０の表示状態が狭視野角状態である場合、処理部４０は視野角変更液晶板２を制御して表示部６０の表示状態を狭視野角状態から広視野角状態に変更する。
【００６３】
このように、携帯端末１０の処理部４０は、表示部６０の表示状態を広視野角状態と狭視野角状態とに交互に変更する。携帯端末１０の処理部４０は、視野角状態を変更した際に、動作中のアプリケーション仕様に従い、視野角制御状態に応じてアプリケーションの動作を変更する。あわせて、データ記憶部３に保存してある携帯端末１０のアプリケーションの設定値を、視野角状態に合わせて変更する。
【００６４】
次に、上述した表示部６０の視野角変更等を制御する表示制御処理手順について、アプリケーションの設定値変更、動作変更の手順を図５に示すフロー図を参照して説明する。
【００６５】
まず、Ｓ１００において処理が開始されると、携帯端末１０の処理部４０は、Ｓ１０１において、キー操作等のなんらかの入力があったかを判断する。入力がなければ（Ｓ１０１でＮＯ）、入力があるまでキー入力の判定動作を繰り返す。入力があった場合（Ｓ１０１でＮＯ）、処理はＳ１０２へ進む。
【００６６】
Ｓ１０２において、視野角制御部５４は、視野角切換部２６が押下されているか否かを判断する。Ｓ１０２において否定結果が得られた場合（Ｓ１０２でＮＯ）、アプリケーションの動作を行うよう、処理はＳ１０８へ移る。Ｓ１０２において肯定結果が得られた場合（Ｓ１０２でＹＥＳ）、処理は１０３に移る。
【００６７】
Ｓ１０３において、処理部４０は、表示部６０の表示状態が広視野角状態にあるか否かを判断する。Ｓ１０３において広視野角状態にある場合（Ｓ１０３でＹＥＳ）、処理はＳ１０４に移り、表示部６０の表示状態を狭視野角状態に変更する。その後、Ｓ１０５において、アプリケーションの設定値を狭視野角状態に応じた設定に変更する。その後、処理はアプリケーションの動作を行うようＳ１０８へ移る。
【００６８】
Ｓ１０３において狭視野角状態にある場合（Ｓ１０３でＮＯ）、処理はステップＳ１０６に移り、視野角制御部５４は、表示部６０の表示状態を広視野角状態に変更する。Ｓ１０７において、アプリケーションの設定値を広視野角状態に応じた設定に変更する。その後、処理はアプリケーションの動作を行うようＳ１０８へ移る。
【００６９】
Ｓ１０８において、処理部４０は、表示部６０の表示状態が広視野角状態にあるか否かを判断する。Ｓ１０８において肯定結果が得られた場合（Ｓ１０８でＹＥＳ）、セキュリティ管理部４２は、広視野角状態に応じたアプリケーションの動作設定を行い、処理はＳ１０１に戻る。これに対して、Ｓ１０８において否定結果が得られた場合（Ｓ１０８でＮＯ）、セキュリティ管理部４２は、狭視野角状態に応じたアプリケーションの動作設定を行い、処理はＳ１０１に戻る。以上の処理によって、携帯端末１０は、視野角切換部２６押下するだけで、容易に表示部６０の視野角を変更することができる。
【００７０】
このように、本発明の携帯端末１０は、視野角の状態に応じて、アプリケーションの動作や設定値を自動的に変更することができ、視野角変更後に、別途ボタン操作等でアプリケーションの設定値を変更する等をする必要がなく、容易に表示部６０の視野角状態に応じた動作をアプリケーションに行わせることができる。
【００７１】
なお、上述の実施形態においては、本発明を携帯電話機に適用した場合について述べたが、本発明はこれに限らず、ノートパソコンやＰＤＡ等、表示手段を有する様々な携帯端末装置に本発明を適用することができる。
【００７２】
アプリケーションの設定値を自動的に変更する例として、例えば、狭視野角になった際には自動でシークレット状態（シークレット属性の電話帳などが閲覧可能となる）に移行し、広視野角になった際に、シークレット状態を解除するようにすれば、特段の操作を行うことなく、プライバシー保護と利便性の両仕様を満たすことが出来る。
【００７３】
また、狭視野角状態は端末の持ち主のみが利用する場合に限るよう制限すれば、狭視野角状態に変更した際に、自動的に壁紙を家族の写真に変える、表示文字サイズを好みのサイズに変える等を行うことにより、特段の操作を行うことなく端末を自分用の設定に変更することができる。
【００７４】
アプリケーションの動作を自動的に変更する例としては、例えば、広視野角状態での暗証番号入力時は入力した文字を＊等の表記に変えることで秘密情報を保護し、狭視野角状態では他人に見られることが無いため、入力した文字をそのまま表示することで、特段の操作を行うことなくプライバシー保護と利便性の両仕様を満たすことが出来る。
【００７５】
また、狭視野角状態に変える際に暗証番号照合し、他人に見られる可能性がある際には広視野角状態に移行する運用をすれば、秘密情報を保護しつつ、狭視野角状態での余計な暗証番号照合を省略できる。
【００７６】
また、携帯端末１０の電話帳機能において、通常は手動でシークレットモードにしなければ閲覧できない電話帳データを、狭視野角状態では自動で参照できるようにすることによって、ユーザによる認証動作を簡略化し、視野角の制御でセキュリティを確保しつつ、操作自由度を向上することができる。
【００７７】
また、携帯端末１０のＰＩＭ（Personal Information Manager）機能において、データボックスや、メールや、スケジュールなどのＰＩＭに関するデータ閲覧時に、狭視野角状態では、暗証番号入力を必要とするシークレットモードを自動で解除し、暗証番号照合の手間無しにデータ閲覧可能とすることで、ユーザによる認証動作を簡略化し、視野角の制御でセキュリティを確保しつつ、操作自由度を向上することができる。
【００７８】
また、携帯端末１０のカメラや電話などの各種機能を使う際に、暗証番号入力を必要とするロックモードを設定する場合に、狭視野角状態においてロックモードを自動で解除することで、ユーザによる認証動作を簡略化し、視野角の制御でセキュリティを確保しつつ、操作自由度を向上することができる。
【００７９】
また、携帯端末１０において、表示部６０の視野角を広視野角に変更した場合、セキュリティレベルの高い情報を扱うアプリケーションを終了することで、セキュリティを確保することができる。具体例をあげると、マルチタスク状態でＴＶチューナとメールソフトとの両方のアプリが起動している状態で、ＴＶを他人に見せる為に広視野角に切換した場合、メールソフトを自動で終了することで、セキュリティを確保することができる。
【００８０】
また、携帯端末１０において、表示部６０の視野角を広視野角に変更した場合、アドレス帳の閲覧をシークレットモードに設定し、閲覧するためにパスワードの入力を求めるように設定することで、セキュリティを確保することができる。
【００８１】
また、携帯端末１０において、表示部６０の視野角を広視野角に変更した場合、個人情報を非表示／ロック状態にすることで、セキュリティを確保することができる。具体例をあげると、携帯端末１０の待ち受け画面において、各種情報をテキスト形式で表示する付箋表示ソフトが起動している際に、視野角を広視野角に切換した場合に、付箋ソフトによるテキスト表示を非表示にすることで、セキュリティを確保することができる。
【００８２】
また、携帯端末１０において、表示部６０の視野角を広視野角に変更する場合、認証入力部２２を用いて、パスワード入力・音声・顔画像・指紋等によるユーザ認証を行うことで、セキュリティを確保することができる。具体的には、表示部６０の視野角が狭視野角状態で、視野角切換部２６のキー押下した際、暗証番号によるユーザ認証を行い、認証に失敗すると、視野角は切り替わらないようにすることで、セキュリティを確保することができる。
【００８３】
また、携帯端末１０において、表示部６０の視野角の設定が広視野角の場合、シークレットモードを解除できなくすることでセキュリティを確保することができる。具体的には、表示部６０の視野角の設定が広視野角状態において、ユーザがシークレットモードを解除した際に「広視野角状態なので、シークレットモードを解除できません」等のアラート表示のみ行い、シークレットモード解除しないことで、セキュリティを確保することができる。
【００８４】
また、携帯端末１０において、シークレットモードを解除した場合、表示部６０の視野角の設定を狭視野角に変更することで、セキュリティを確保することができる。具体的には、シークレットモードを解除する操作をした際に「シークレットモードを解除しました」「狭視野角に設定しました」といったアラート表示を行い、シークレットモード解除、狭視野角状態設定の両方を行うことで、セキュリティを確保することができる。
【００８５】
以上のように、本発明の制御部７０は、表示部６０における視野角を設定する視野角制御部５４と、アプリケーションを実行するプログラム実行部４４と、視野角制御部５４による視野角の設定に基づいて、プログラム実行部４４におけるアプリケーションの起動、終了、データの参照、認証処理のうち少なくとも１つを制御するセキュリティ管理部４２とを備えるので、視野角の設定によりある程度のセキュリティを確保しつつ、煩雑な操作をなくしたアプリケーションの制御を行うことができる。
【００８６】
また、上記の制御部７０では、セキュリティ管理部４２は、視野角制御部５４による視野角の設定が広視野角の場合、プログラム実行部４４におけるセキュリティデータを扱うアプリケーションの起動、または、セキュリティデータの参照を禁止するプライベートモードに設定することで、アプリケーションの動作設定でセキュリティを確保するので、周囲の人から除き見される可能性がある広視野角状態であっても、メール、アドレス帳、ユーザ情報、留守番電話メッセージ、発着信履歴、通話料金、画像データ、ウェブサイトの閲覧履歴、シークレットデータ、および、その他の個人情報を扱うアプリケーションの制御によってセキュリティを確保することができる。
【００８７】
また、上記の制御部７０では、セキュリティ管理部４２は、視野角制御部５４による視野角の設定が広視野角の場合、プログラム実行部４４において実行しているアプリケーションがセキュリティデータを参照する際にユーザの認証を行うことので、表示部６０の視野角が広視野角状態の設定では、セキュリティデータへのアクセスに、パスワード入力、指紋・静脈画像・顔画像・音声などによるユーザの認証を求めるので、広視野角の設定の場合に覗き見されることによるセキュリティデータの漏出を防ぐことができる。
【００８８】
また、上記の制御部７０では、セキュリティ管理部４２が、視野角制御部５４による視野角の設定が広視野角の場合、プログラム実行部４４におけるセキュリティデータを参照するためのユーザによる認証処理を禁止するので、表示部６０が広視野角の設定の場合に不用意にセキュリティデータを表示することで覗き見されることによるセキュリティデータの漏出を防ぐことができる。
【００８９】
また、上記の制御部７０では、セキュリティ管理部４２は、視野角制御部５４による視野角の設定が狭視野角の場合、プログラム実行部４４におけるアプリケーションの動作をユーザによる認証処理を簡略化したパブリックモードに設定するので、狭視野角状態ではセキュリティを緩和することで、ユーザによる認証処理などの余分な動作を簡略化し、視野角の制御でセキュリティを確保しつつ、操作自由度を向上することができる。
【００９０】
また、上記の制御部７０では、セキュリティ管理部４２は、視野角制御部５４による視野角の設定が狭視野角から広視野角に変更された場合、プログラム実行部４４において実行しているセキュリティデータを扱うアプリケーションを終了させるので、広視野角状態では、プライバシー情報を見せないように自動的に制御することができる。
【００９１】
また、上記の制御部７０では、セキュリティ管理部４２は、視野角制御部５４よる視野角の設定が狭視野角から広視野角に変更された場合、プログラム実行部４４において実行しているアプリケーションがセキュリティデータを参照する際にユーザによる認証処理を行うことように設定するので、広視野角に変更された際に覗き見などによるプライバシー情報の漏出について注意を喚起し、セキュリティを高めることができる。
【００９２】
また、本発明の制御部７０では、表示部６０における視野角を設定する視野角制御部５４と、アプリケーションを実行するプログラム実行部４４と、プログラム実行部４４におけるアプリケーションの起動、終了、データの参照、認証処理のうち少なくとも１つの動作に基づいて、視野角制御部５４における視野角の設定を制御するセキュリティ管理部４２とを備えるので、アプリケーションのセキュリティレベルに応じて視野角を設定することができる。
【００９３】
上記の制御部７０と、制御部７０への操作入力を行う入力部２０と、視野角制御部５４からの制御信号およびプログラム実行部４４からの映像信号に基づいて画面を表示出力する表示部６０とを備えることによって、携帯端末１０を構成することができる。
【００９４】
また、制御方法では、表示部６０における視野角を設定するステップと、アプリケーションを実行するステップと、視野角の設定に基づいて、アプリケーションの起動、終了、データの参照、認証処理のうち少なくとも１つを制御するステップとを備えるので、視野角の設定によりある程度のセキュリティを確保しつつ、煩雑な操作をなくしたアプリケーションの制御を行うことができる制御方法を提供することができる。
【００９５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９６】
最後に、制御部７０の各ブロック、特にセキュリティ管理部４２およびプログラム実行部４４は、ハードウェアロジックによって構成してもよいし、次のようにＣＰＵを用いてソフトウェアによって実現してもよい。
【００９７】
すなわち、制御部７０は、各機能を実現する制御プログラムの命令を実行するＣＰＵ（Central Processing Unit）、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである制御部７０の制御プログラムのプログラムコード（実行形式プログラム、中間コードプログラム、ソースプログラム）をコンピュータで読み取り可能に記録した記録媒体を、上記制御部７０に供給し、そのコンピュータ（またはＣＰＵやＭＰＵ）が記録媒体に記録されているプログラムコードを読み出し実行することによっても、達成可能である。
【００９８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９９】
また、公衆電話回線などを用いて制御部７０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１００】
以上のように、本発明に係る制御部７０は、表示部６０における視野角を設定する視野角制御部５４と、アプリケーションを実行するプログラム実行部４４と、視野角の設定に基づいてアプリケーションの起動、終了、データの参照、認証処理のうち少なくとも１つを制御するセキュリティ管理部４２とを備えるため、視野角の設定によりある程度のセキュリティを確保しつつ、煩雑な操作をなくしたアプリケーションの制御を行うことができるので、携帯端末、ＰＤＡ、携帯ゲーム機、ノートＰＣ、および、その他の視野角切換機能をもった表示装置の制御装置として好適に利用することができる。
【図面の簡単な説明】
【０１０１】
【図１】本発明の一実施形態である制御装置を、携帯端末に用いた場合の各部の概略構成を示す機能ブロック図である。
【図２】上記の携帯端末の外観構成を示す概略図である。
【図３】上記の携帯端末の回路構成を示すブロック図である。
【図４】上記の携帯端末の表示部の構成を示す概略図である。
【図５】上記の携帯端末における表示制御、アプリケーションの設定値変更、および、動作変更の手順を示すフロー図である。
【符号の説明】
【０１０２】
１０    携帯端末
２０    入力部
２２    認証入力部
２４    操作部
２６    視野角切換部（視野角切換手段）
２８    開閉検知部
３０    記憶部
３１    上側筐体
３２    ヒンジ部
３３    下側筐体
３４    アンテナ
３５    スピーカ
３６    マイク
３７    突起部
４０    処理部
４２    セキュリティ管理部（セキュリティ管理手段）
４４    プログラム実行部（プログラム実行手段）
５０    出力制御部（出力制御手段）
５２    表示制御部
５４    視野角制御部
６０    表示部（表示出力手段）
７０    制御部（制御装置）
【図１】
0004455536.tif 000002
【図２】
0004455536.tif 000003
【図３】
0004455536.tif 000004
【図４】
0004455536.tif 000005
【図５】
0004455536.tif 000006